(57)【特許請求の範囲】
【請求項１】
単一使用注射器（１０）であって、
(a)外筒（１１）と、
(b)外筒内で摺動可能なプランジャであって、プランジャヘッド（１２）と細長ステム（１３）とを有しており、ステムが、プランジャヘッドの第１脆弱部（１７）によって密封されている環状端部（２０）を有している延伸した縦通路を有している、プランジャと、
(c)中空針（１４）と、
(d)外筒の中へと針を偏向させる、針に関する偏向手段（２１）と、
(e)外筒から分離形成され、注射器の前部の内側に配置されかつ針の外筒内への移動に抗して針を保持する保持手段（２６）と、
を備えており、
上記保持手段（２６）が、供え物部材（２７）と、本体（２５）と、第２脆弱部（２９）と、を備えており、
(i)供え物部材（２７）が、前端部と、外筒（１１）内のプランジャヘッド方向に伸長している後端部と、を有しており、
後端部が、外筒（１１）の内側へと連通しており、傾斜した拡大部（２７Ａ）と、孔部（２７Ｂ）と、を有しており、
上記拡大部が、プランジャヘッド（１２）の第１脆弱部（１７）と接触するようになっており、プランジャが保持手段（２６）に抗して押された時、該拡大部が第１脆弱部を破壊してステムの環状端部を開口することができるようになっており、
上記第１脆弱部（１７）が、破壊される前に、傾斜した拡大部（２７Ａ）の形状に一致するようになっており、これによって、注射器（１０）内の全ての液体の排出がし易くなっており、
上記孔部（２７Ｂ）が、前端部を通って針の内側端（２８）に取り付けられており、
(ii)第２脆弱部（２９）が、供え物部材（２７）と本体（２５）との間に設けられており、
本体（２５）が、外筒（１１）の内側で、針へと向かう前方に摺動可能な状態で保持されており、第１脆弱部（１７）が破壊されている環状端部（２０）によって、前方に押され得るようになっており、
上記偏向手段（２１）が、螺旋ばねを備えており、該螺旋ばねが、供え物部材（２７）に取り付けられて上記外筒の中へと針を偏向しており、且つ、供え物部材（２７）を前方へと移動不可能にしており、
第２脆弱部（２９）は、本体（２５）が上記環状端部によって前方へ動かされることによって破壊され、これによって、供え物部材を、解放して伸長した縦通路へと送ることができるようになっている、
ことを特徴とする単一使用注射器。
【請求項２】
本体（２５）が、外筒（１１）の内壁の部分と摺動接触するようになっている円筒の外面を、有している、
請求項１に記載の単一使用注射器。
【請求項３】
外筒（１１）の内壁の部分が、外筒（１１）の本体の壁の厚みよりも小さな厚みを、有している、
請求項２に記載の単一使用注射器。
【請求項４】
保持手段（２６）が、単一部材を備えており、上記第２脆弱部（２９）が、プランジャに面する上部突破端（３５）と、下部突破端（３６）と、を備えており、両突破端が、保持手段内に環状リセスを備えている、
請求項１に記載の単一使用注射器。
【請求項５】
断面で見たとき、上部突破端（３５）が、下部突破端（３６）の外側上に位置付けられている、
請求項４に記載の単一使用注射器。
【発明の詳細な説明】
【０００１】
（発明の技術分野）
本発明は、単一使用注射器に関し、特に注射針が使用後に注射器本体の中に偏向している単一使用注射器に関するものである。
【０００２】
（技術背景）
単一使用注射器は、針の共有により生じる感染の危険を減少させるために必要とされる。多くの種類の単一使用注射器が周知となっている。
これら周知の注射器の最大の不都合は、製造の複雑さと、有効に使用されるように注射器を許容するためにどちらかと言えば多くの構成部品が必要とされることである。
【０００３】
本発明は、針をもち、針が再度使用されることから予防するためにプランジャストロークの完了時に中空のプランジャステムの中に送ることができるタイプの単一使用注射器を方向付ける。
【０００４】
特に、本発明は相対的に簡単に針の中にはめ込まれるように方向付けており、かつ針が使用される位置で針を安全に保持することができるが、逆にプランジャステムの中へ針を送るために解放することができる。
【０００５】
これらの注射器のタイプが周知である。注射器本体の中に針を逆に送るあるタイプの注射器は極めて複雑であり、かつ使用済み注射器を形成するように組み立てなければならない最高１６個の部品をもつ。いくつかの部品は、部品が射出成形もしくは金型成形用として過度に小さくなるので接着されることが必要である。種々の部品が小さな注射器にはめ込むように製造することができないため、この周知の注射器は、また、３ｍｌより大きな容量に限定される。
【０００６】
このタイプの周知注射器の他の不都合は、様々な構成に容易でかつ敏速な射出成形ができないことである。例えば、逆に送る針をもつ注射器は、注射器外筒の内壁部として成形される破裂防止手段によりばねで偏向した針が所定の位置に保持されることが周知である。実際には、そのような外筒は成形することは極めて難しく、実質的に射出成形することは不可能であることがわかる。したがって、このタイプの注射器は、安価に製造することができない。
【０００７】
他の安全型注射器は、可変基部により所定の位置に保持した針をもつプランジャステムの中に逆に送る針を装着したばねばねを備えている。可変基部は、それに装着したとりわけ円形フランジを有する固有に設計された針をつかむ圧縮通路をもつ。可変部材はプランジャにより前方へ押し出され、可変部材内の通路を通過しかつプランジャステムの中に逆に送るために、針を回転可能に伸ばすように可変部材を許容する、より大きな横断面領域の中に前方へ押し出される。プランジャステムの中に逆に送るためにばね偏向針が折れることを許容する、より信頼できる脆弱部を包含していないので、このタイプの配列は特に信頼できるわけではないと思われている。
【０００８】
逆送り針を備えた安全注射器は、また、ばねにより偏向させられる必要がないことは周知である。その代わりに、真空がプランジャステムの中に戻る低品質の針のために外筒に提供されている。このタイプの注射器は、吸引力が提供可能な環境においてもちろん完全に限定使用されている。
【０００９】
他のタイプの注射器は、プランジャステムが後退するために偏向させられるような螺旋ばねを提供するプランジャステムを有する。プランジャステムは、外筒に沿いかつばねの偏向に抗して押圧される。プランジャステムの前部が針の後方を突くとき、針に抗しているように見える。外筒に沿って逆にプランジャステムを引くために、プランジャステムの解放がその後ばねに生じ、それにより針を後退させる。
【００１０】
針がばね偏向しており、かつ切断可能部材により所定位置に保持されている単一使用注射器を提供することは周知である。針を解放することにより切断可能部材が適切に切断されることが保証されるために、二部切断動作が通常要求される。二部切断動作において、プランジャは概して前方切断端部を有し、かつ針の前部もまた任意の切断端部の形態を有し、二重の切断動作は、切断可能部材が針を解放するために切断される特性があることを保証することが必要とされる。常時信頼できずかつ常時は作動しないばね偏向針を解放するために切断可能部材を切断することを試みていることがわかる。
【００１１】
周知の単一使用注射器の他のタイプは、針上の拡大部をつかむ基礎部材をもつ。プランジャは前方へ基礎部材を押圧し、さらに針の周囲にあるばねを圧縮する。その押圧動作は、基礎部材と針上の拡大部の間における把持を解放する。これは、ばねを後方に残している間、拡張部を包含している針がプランジャの中へ逆に送られることを許容する。ばねは、当初は部分的に圧縮され、しかしその後、前方へ基礎部材を強制するプランジャのように完全に圧縮されるようになる。この配列は、従来の針が使用できないことを意味する特殊な（拡張部を包含している）デザインを有している針を必要とする。
【００１２】
注射器の他のタイプは、プランジャ上を移動するプランジャシールを有し、かつプランジャシールは注射器を操作可能な力以上の密封に用いられる力に応じてベアリング表面に沿って後方に摺動する。この配列は、針の撤回シーケンスを開始する。この配列と共に、特別に設計されたプランジャシールがプランジャに関連して移動することが必要である。従来のプランジャは、プランジャに固定されるプランジャシールを有する。
【００１３】
注射器の他のタイプは、針を解放するために互いに関連して摺動する二つの部品からなる逆に送る配列を有する。その二つの部品は、外周部と内周部とから構成されている。内周部は針を保持し、かつ螺旋ばねにより偏向している。二つの部品は、互いに摩擦結合により共に保持される。ばねの偏向が内周部を摩擦嵌合している外周部から離れて十分に送るような時間になるまでプランジャは次第に前方へ外周部を押圧し、それにより次第に外周部と内周部の間における摩擦嵌合している部分の総和が減少する。この配列は、全く危険であると思われかつ注意深い製造が必要である二つの部品を共に保持するために、摺動摩擦グリップを必要とする。
【００１４】
針ホルダを使用する他の配列は、引き延ばした本体の前部と後方頭端部とを有しており、針ホルダを囲む頭端部の下にばねを提供している。針ホルダにおいて引き延ばした本体の使用は、小さなそして境界空間用として困難なこの配列を作る。
【００１５】
（発明の目的）
本発明は、使用後にプランジャステム穴の中に逆に送ることができるばねで偏向した針を有している単一使用注射器を方向付けている。針は、特別に設計した保持手段によりばねの偏向に抗して所定位置に保持されている。保持手段は、針を解放するためにかつプランジャステムの中に逆送りできるように針を許容するために壊すことができる脆弱部を有している。本発明において、確実性が言うまでもないことが明白な切断動作よりも脆弱部材を破壊する引き伸ばし動作により脆弱部は破壊される。全体を一体成形することが複雑であり又は困難であるため、必要な物を取り去る動作によりホルダは分離形成することができ、かつ、注射器の中へ挿入することができる。これはまた、従来の安価な構成部材、若しくは、比較的軽微な改善だけを必要とする構成部材から形成するためにほとんど同じ注射器を許容する。
【００１６】
このようにして、本発明の一形態は、プランジャ、外筒、針ホルダに装着した針からなる比較的少数の部品を有している注射器をもち、かつ、針を解放するために破断点へ引き延ばすことができる脆弱部を有している保持手段が設計されている。
【００１７】
前述の不利益を克服し、又は有益な若しくは商業上選択の範囲が広い公共性を提供することができる単一使用注射器を提供することを本発明の目的としている。
【００１８】
一形態において、本発明は外筒からなる注射器本体に属し、
（ａ）外筒内において摺動可能なプランジャ、プランジャはプランジャヘッドと細長いステムとを有しており、そのステムはプランジャヘッド上に脆弱部により密封された開口をもつ延伸した縦通路を有しており、
（ｂ）中空針、
（ｃ）外筒内へ針を偏向させる針偏向手段、
（ｄ）外筒から分離形成され、注射器の前部内側に位置付けられ、外筒の中への運動に抗して針を保持する保持手段、保持手段はプランジャにより前方へ押し出すことができる第一部分、針が装着された第二静止部分を有しており、そして
（ｅ）脆弱部は、第一部分と第二部分とが相互接続され、かつ第一部分がステムにおいて縦通路の中に針を偏向する偏向手段を許容するように前方へ押し出されるとき破壊される。
好ましくは、第一部分は保持手段の外側本体である。
好ましくは、第二部分は保持手段の内側部材である。
【００１９】
中空針は外筒の中へ通る拡張部と一体の内底を有してもよく、かつプランジャステムの中に針の通過を円滑にするためにプランジャヘッド上で脆弱部を弱めることができ若しくは貫通することができる。拡張部は保持手段の一部を形成してもよい。
【００２０】
他の形態において、本発明は医療針保持用の保持手段に属しており、保持手段は外周側円筒体の形状の第一部分と内周側円筒体の形状の第二部分を有しており、第一部分と第二部分は脆弱部により互いに接続されており、内周部は針の端部と適合するような通路を有している。
ステム内の縦通路は、通路内に針を掴みかつ保持するためにテーパ状になっているのが好ましい。
【００２１】
単一使用注射器は、プランジャステム内の通路の中に送るために傾斜しているが保持手段により制御される中空針をもつ。保持手段は弱く、脆弱で、孔あけ可能であり、若しくは破壊可能な部分が壊れたとき、プランジャステムの中に針を送るように呈することができる他のタイプを有する。
【００２２】
プランジャが外筒の端部へ向かって押し出されるように、脆弱部はプランジャ上で破壊手段により破壊することができ（一般にプランジャの最先端部分に隣接）、プランジャステムの中へ針を送るように脆弱部を引き伸ばし、かつ破壊することができる。
プランジャは、一部が針若しくは拡大部により貫通されるプランジャヘッドを有する。この一部はプランジャヘッド上の脆弱部若しくは比較的薄い部分になる。
【００２３】
このようにして、プランジャが外筒の端部に向かって押圧されるので、中空針上の拡大部は、プランジャ上の保持手段が保持手段上の脆弱部を引き延ばし始めるときとほぼ同時にプランジャヘッド上の脆弱部に接触することができる。外筒の端部に抗してプランジャをしっかり押圧することは、針をプランジャステム孔の中に送るために自由に許容するのに適する結果を生じるのみならず、プランジャヘッド上の脆弱部を介して中空針若しくは拡大部を貫通する結果を生じる。
【００２４】
注射器本体は一般に円筒形で、かつ注射器により保持されるように液体の体積に応じて様々な直径と長さからなる外筒をもつ。大きいそして小さい体積が予見されたとしても、標準的な体積は１〜１０ｍｍの間である。
【００２５】
プランジャは外筒に摺動して提供される。そのプランジャはプラスチック材料から形成することができる細長いステムを有する。ステムの内端は、ゴム、シリコン又はその類のような黒色の弾性材料から通常は形成されるプランジャヘッドを有する。
【００２６】
プランジャヘッド若しくはプランジャ栓は、プランジャが注射器の前部に抗して押圧されるように形を崩しそして最終的には破壊される（薄膜と呼ばれる）比較的薄い部分からなる。栓が破壊する前に、押圧される栓に抗して注射器の前部に対して実質的に一致するように形成し又は引き延ばすことを栓が許容するのが好ましい。効果は、注射器内のほとんどすべての流体が針を介して吐出されることであり、プランジャヘッドと注射器の前部の間に放置される残留流体が少量であるか又は皆無になる。
【００２７】
ステムは、プランジャヘッドの一部に形成した薄い部分又は脆弱部若しくは薄膜により密封された開口端を有する縦に延びる通路を有する。内部通路は、プランジャステムに沿って全体に延びていてもよく、以下に詳細に説明される理由により内部通路はプランジャステムの端部に向かって狭くなることが好ましい。
【００２８】
縦通路が使用される針を保持するように機能するので、類似する機能を呈することができる他の組み合わせ又は配置が存在することが予見される。例えば、プランジャステムは、中空通路を有する代わりに針を保持する手段を有する縦長の溝又は隙間を提供してもよい。外筒の内部壁は、針が通る縦長通路の限定した一部分又は全体にプランジャステムと共同して機能してもよい。しかしながらステム自身は、縦長通路で限定した実質的に中空であることが好ましい。
【００２９】
中空通路の壁は、少なくとも一つの開口を包含する首部領域を有してもよい。針アッセンブリ逆送り機構は、ステムを介して針アッセンブリを逆送りするように形を崩すが、しかし、ステムに対して針アッセンブリを固定するために開口の中へ延ばすことができる端部を有してもよい。これは、容易に移動し又はステムから図らずも落下し及び鋭利な障害が存在することを防止することができる。
【００３０】
注射器は中空針を有する。中空針は保持手段により装着されている。保持手段は、引き延ばしとプランジャヘッド上で脆弱部を破壊することの手助けとなるように外筒の中に延びる拡張部を提供してもよい。
【００３１】
偏向手段は、外筒の中に針を偏向させるために提供される。針が注射器に適合したとき、針が縦長通路の中に送られ自然に偏向されるように、偏向手段は針本体に関して拡張してもよく、圧縮されてもよい。ばねは以下で説明される保持手段に関して少なくとも部分的に伸びてもよい。
【００３２】
保持手段が提供される。保持手段は小さなプラスチック又は他の部材の形にしてもよい。保持手段は注射器に取り付けられ、そして好ましくは針の内側端部に隣接して取り付けられる。保持手段は針が偏向手段の影響の下で縦長通路の中に送られることを防止するように針を把持することができる。保持手段は、偏向手段の偏向の下で縦長通路の中に通すように針を解放するために破壊する又は除去することができる脆弱部、破壊可能部、孔あけ可能部、又は他のタイプの配列を有する。脆弱部は、保持手段の上で厚さが減少した領域の形態となるようにしてもよい。
【００３３】
保持手段はプランジャにより前方へ押圧可能な第一部分と、針が装着されかつ概して第一部分に関連して移動しない第二部分からなる。第一部分は、外周体から構成してもよく、第二部分は内周体から構成してもよい。脆弱部は、第一部分が第二部分に関連して前方に押圧されるとき、脆弱部が破断点まで引き延ばされるように第一部分と第二部分とを相互に連結させることができる。
【００３４】
脆弱部は第一部分と第二部分から完全に形成されてもよい。脆弱部は、上部突破端と下部突破端とを有してもよい。上部突破端は、下部突破端が概してばねに向かう間は、概してプランジャに向かう。上部突破端は小サイズの環状溝又はリセスで構成してもよく、下部突破端は大サイズの環状溝又はリセスで構成してもよい。断面で見たとき、上部突破端は下部突破端の外側に位置付けられるのが好ましい。
提供される保持手段は、中空針を解放するように保持手段の脆弱部を破壊するためにプランジャの上にすることができる。
【００３５】
（詳細な説明）
発明の実施例が次の図面に関連して説明される。
図面を参照すると、最初に図１には、外筒１１、プランジャヘッド１２とプランジャステム１３から形成される摺動式プランジャ、及び中空針１４を有する他の注射器のような単一使用注射器１０が示されている。
【００３６】
図２は、より詳細に注射器の前部を示す。細長いプランジャステム１３は、以下に非常に詳細に説明される理由によりテーパが形成されている内部縦長通路１５の端部１６（図１に示す）と一体の内部縦長通路１５で限定した中空になっている。
【００３７】
縦長通路１５の前部は、プランジャヘッド１２の脆弱部１７により覆われ若しくは密封されている。脆弱部１７は、孔を開けることができる薄壁部１８があるという点で壊れやすい。この部分はまた、薄膜のように見ることができる。プランジャステム１３は、プランジャヘッド１２が嵌合される前部領域１９を有する。前部領域１９は、実施例において脆弱部を破壊するための手段として機能する環状前縁２０を有する。
【００３８】
中空針１４は、ほとんど針本体を延伸している螺旋ばね２１形式の偏向手段により偏向され、螺旋ばねは注射器のニップル領域２２に配置されている。螺旋ばね２１は、ニップル領域２２の内壁に抗して隣接している一端２３と、保持手段の背後に抗して押圧している他端２４を有する。
【００３９】
中空針１４は、弾性キャップ２６若しくは保持手段形式で保持手段により所定の位置に保持されている。弾性キャップ２６は、注射器のニップル領域２２内に形成したリセス２２Ａ（図５〜８に示す）に沿って前方に摺動可能である環状外周本体２５を有する。弾性キャップ２６は、中空針１４の内側端部２８の外側に抗して把持する管状通路を形成した内側供え物部材２７形式の第二部分を有する。
【００４０】
供え物部材２７は、薄い壁をつけた環状脆弱部２９により環状外周本体２５から分離される。供え物部材２７は円錐形であり、かつ、外筒の中へ広がる拡大部２７Ａを有する。拡大部２７Ａは、縦孔２７Ｂと中空針を貫通するため外筒の内容物を許容するように中空針に通じる縦孔２７Ｂを有する。
【００４１】
図３を参照すると、この図において、プランジャヘッド１２が外筒の端部に抗して押圧されている。拡大部２７Ａが接触して押圧しており、プランジャヘッド上で脆弱部１７を内側に歪める。この点において、プランジャステム１３の環状端部２０は、環状外周本体２５に抗して押圧している。連続した押圧は、破壊限界まで脆弱部を延伸することにより、結局、環状端部２０が供え物部材２７から離れて環状外周本体２５を押圧することになり、その上、供え物部材２７と中空針１４の内側端部はプランジャヘッド上の脆弱部１７を串刺しにする。これは、図５〜８に進行的に示される。
【００４２】
図５において、プランジャヘッドは拡大部２７Ａをちょうど包含している。図６において、プランジャの環状端部２０は、外側環状体２５の端部に抗して接触しているが、まだ外側環状体２５を前方に押圧し始めてはいない。図７において、さらに今、プランジャステムの押圧が、形成したリセス２２Ａに沿って前方に押圧されるように外側環状体２５に引き起こす。同時に、一致している先端面と本体ボスもまた、中空針の周囲の圧縮した螺旋ばねに抗して接触するので、内側供え物部材２７は前方に移動不可能である。図７は、脆弱部１７が破壊限界まで延伸される位置を示す。図８において、今、プランジャステムの中に針を逆に送るために広がるようにばねを許容するため、脆弱部は破壊されている。針は、まだ内側供え物部材２７に固定されている。
【００４３】
図４を参照すると、中空針１４を把持する供え物部材２７はキャップ２６の主本体２５から解放されており、ばね２１はプランジャステム１３内で中空の縦通路１５に沿って中空針１４を送るように広がる。概して供え物部材２７が通路１５（図１がテーパ部を示す）内のくさび形になるテーパ部１６まで通路に沿って完全に中空針を送るためのばねの力は十分である。中空針は、今、通路内に安全に保持されており、かつ外筒から取り外されるプランジャは当然衝突しない。
【００４４】
プランジャが図３のように接近した位置にあるとき（中空針の端部がプランジャヘッドにより密封されるとき）、外筒内の液体の最後の一滴が中空針を通過することができるように、供え物部材２７は針固着壁内の開口に連通させる少なくとも一つの開口を有する。
【００４５】
図９Ａ、９Ｂを参照すると、代わりの実施例に基づく保持手段が示されている。保持手段は単一材料から形成され、外周部３０と内周部３１から成る。形状が円筒形である外周部３０は、実質的に安定した上壁３２（プランジャ面）と、実質的に中空インナー部３３を有する。外周部３０と内周部３１は、環状薄壁分布可能区域３４で接続されている。この区域３４の良好な伸びと破壊動作を提供するために、脆弱区域３４は上部突破端部３５と低部突破端部３６から成る。低部突破端部３６が中空インナー部３３の拡張である環状リセスを構成している間、上部突破端部３５は上壁３２内に環状リセスを構成する。両突破端部３５、３６は注射器の縦軸に対して実質的に平行な内壁を有し、外壁は実質的に三角形状のリセスを形成するように内壁に向かって傾斜している。突破端部は、内周部３１と一体に外周部３０に接続した比較的薄い脆弱部を創造する。上部突破端部３５は、低部突破端部３６（断面に示したとき）の内壁の外側に広がるように位置している。この位置は、確実な伸びと脆弱区域３４の破壊動作を促進する。図９Ｂは、脆弱区域が破壊された後の保持手段を示す。
【００４６】
内周部３１は、針（図示しない）を通す縦通路３７を有する。内周部３１は前述の図において説明したものに類似した拡大部２７Ａを有する。この特定の実施例において、外周部３０が内周部３１から分離されたとき、端部は以下で説明するプランジャステムの中へ内周部に逆送りの固定を援助する３８、３９が形成される。
【００４７】
図１０を参照すると、この形状は、注射器外筒の中へ先端部を安全に保持又は固定するための本発明の実施例を示す。注射器外筒１４は、注射器外筒の前部に減少肉厚４１を有する。保持手段が注射器のこの部分の中に圧迫されたとき、減少肉厚４１は、外筒弱部のこの部分を作り、従って変形又は隆起が可能である。これは、保持手段と外筒の間の流体密封の創造における非常に確実な接触と援助を提供する。外筒のこのパーツ４１は、外周部４３がプランジャ（図示せず）により押圧されるとき、摺動可能な保持手段の外周部４３に沿って通路４２を有する。減少肉厚部分を有していることにより、パーツ４３と通路４２の内壁の間の摩擦力は減少する。この前方押圧の総計の減少は、上述したように脆弱部４４を破壊することにより外周部４３を押圧するためにプランジャ上に必要である。先端（又は保持手段）は、加工の間際に形成される一方向の配置／密封リング４５により注射器外筒に固定される。
【００４８】
図１１Ａ〜Ｃは、薄膜５０又はプランジャ上の薄い部分の変形を連続的に示す。図１１Ａは、注射器５２の端部に接近しているプランジャ５１を示し、この端部は先端５３を包含している。プランジャ５１は、薄い薄膜部５５を有する前方シール５４を有する。図１１Ｂは、先端５３と薄膜５５が接触し始めており、内部に変形し始めているプランジャ５１を示す。図１１Ｃは、薄膜５５と先端５３の外面の間に中空を包含している流体がないことを保証することにより、薄膜５５と一体の先端５３に抗してきつく押圧しており、先端５３の形状に一致して十分に柔軟になっているプランジャ５１を示す。これは、注射器内のほとんど全ての流体が針５６を通過することを保証する。薄膜５５はプランジャが十分に減圧されるまで伸び、そして実質的に全ての流体が”死角”又は浪費される流体が存在しない注射器内から吐出される。プランジャ減圧が十分になる間際に薄膜の伸縮限界が打ち勝ち、そして薄膜は外筒のステムの中に針を包含する（例えば、ステムの中に逆送りする）内周部（ばね荷重）の同時に起こる動作を許容するように破裂する。
【００４９】
図１２Ａと１２Ｂは、本発明の実施例によるステムデザインを示す。ステムは、プランジャの一部を形成しており、かつ主本体部６０とプランジャシール６２を有する前方部６１とを包含している。中空部６３が、取り外し針アッセンブリに適応するように提供される。取り外し針アッセンブリは、上述したようなものであり、そして針６４、偏向ばね６５、及び外周部から取り外されている保持手段の内周部６６を包含する。中空部６３は、自由な位置に提供されるようにかつ図１２Ａに示すように少なくとも一つの開口６７Ａを有する首部領域６７を包含する。内周部６６は図９Ｂに示すように呈することができ、かつ傾斜したプランジャステムを介して送る針アッセンブリのように変形する端部３８を有する。針アッセンブリが開口６７Ａを通過するとき、変形した端部３８はステムに対して針アッセンブリを固定するように開口の中に広がることができる。
【００５０】
プランジャステムは、材質に依存して水に浮かんでいる使い古した注射器を防止する使用後の注射器の中への水の浸入を可能にするように側壁に開口を提供することができる。これは、海岸で洗浄したたくさんの使用済みの針を減少することができる。
【００５１】
単一使用注射器は比較的少ないパーツを使用し、そしてそのパーツは任意の接着剤を使用することなく組み立てることができる。その手筈は、針を解放するために切断と刺し通し動作を続行し、プランジャヘッドが外筒の端部に抗して一旦押圧される。
【００５２】
他の様々な変形例や改善例が、請求項に記載したような本発明の真意と範囲を逸脱することなく実施例で説明したように作成することが可能であることが認識されるべきである。
【図面の簡単な説明】
【図１】  本発明の実施例による単一使用注射器の図である。
【図２】  外筒の端部の方へ押圧されたプランジャを示す注射器の前端の拡大図である。
【図３】  プランジャ外筒が保持手段上の脆弱部を破壊することに関し、そして針の内端部がプランジャヘッド上で脆弱部を破壊することに関する注射器の前端を示している。
【図４】  針が保持手段から解放され、偏向手段の影響下でプランジャステムの縦長通路の中に送る解放位置を示す。
【図５】  脆弱部が伸ばされ、かつ、プランジャステムの中に送るためにばねで偏向した針を許容するように破壊される進行的動作を示す。
【図６】  脆弱部が伸ばされ、かつ、プランジャステムの中に送るためにばねで偏向した針を許容するように破壊される進行的動作を示す。
【図７】  脆弱部が伸ばされ、かつ、プランジャステムの中に送るためにばねで偏向した針を許容するように破壊される進行的動作を示す。
【図８】  脆弱部が伸ばされ、かつ、プランジャステムの中に送るためにばねで偏向した針を許容するように破壊される進行的動作を示す。
【図９】  図９Ａと９Ｂは、上部突破端と下部突破端とを備えている保持手段の特に好ましいタイプの断面図を示す。
【図１０】  外筒内に保持手段の良好な安全嵌合を提供する本発明の実施例を示す。
【図１１】  図１１Ａ〜１１Ｃは、プランジャ先端部又は薄膜の連続的な変形を示し、及び、特に、注射器内の全流体を放出するために注射器の前部の形状に合致したプランジャ先端を示している。
【図１２】  図１２Ａ〜１２Ｂは、逆送り針を安全にロックするためにショルダ又はストッパが提供されているプランジャステムの実施例を示す。
【図１】
0004458736.tif 000002
【図２】
0004458736.tif 000003
【図３】
0004458736.tif 000004
【図４】
0004458736.tif 000005
【図５】
0004458736.tif 000006
【図６】
0004458736.tif 000007
【図７】
0004458736.tif 000008
【図８】
0004458736.tif 000009
【図９Ａ】
0004458736.tif 000010
【図９Ｂ】
0004458736.tif 000011
【図１０】
0004458736.tif 000012
【図１１Ａ】
0004458736.tif 000013
【図１１Ｂ】
0004458736.tif 000014
【図１１Ｃ】
0004458736.tif 000015
【図１２Ａ】
0004458736.tif 000016
【図１２Ｂ】
0004458736.tif 000017